(57)【特許請求の範囲】
【請求項１】
絶縁油が充填されているＯＦケーブルの接続端を油密状態に囲繞する密封接続容器に螺入されているコネクタを開閉するための分割型無停電採油装置であって、
密封接続容器に油密可能に装着される絶縁支持部品と、絶縁支持部品の周囲に配され絶縁支持部品に対して油密状態で回動可能な絶縁回動体を備え、絶縁回動体の回動によりコネクタの開閉が可能であり、
絶縁回動体は絶縁油の採油器を装着する採油器装着部を有しており、採油器装着部とコネクタの絶縁油流出口とを繋ぐ絶縁油流出路が設けられている
ことを特徴とする分割型無停電採油装置。
【請求項２】
絶縁回動体は、絶縁支持部品に対して油密状態で回動可能であり、コネクタに嵌め合わされる保持部品と、保持部品の外周に組み合わされ、保持部品に回動力を与える半割フランジと、半割フランジに係合され、外部から加えられた回動力を半割フランジに伝える下部押さえ部品と、保持部品と協働して油密可能にコネクタを覆う上部押さえ部品とからなり、採油器装着部は上部押さえ部品に設けられていることを特徴とする請求項１記載の分割型無停電採油装置。
【発明の詳細な説明】
【０００１】
【発明の属する技術分野】
本発明は、ＯＦケーブル線路を運転状態のまま密封接続容器から採油出来る無停電採油装置の改良に関するものである。
【０００２】
【従来の技術】
図１は、ＯＦケープル線路全体の説明図である。電力は市街地の周辺までは鉄塔(14)に懸架された架空線(14a)によって送られ、市街地では地中に埋設されたＯＦケーブル(1)によって変電所(12a)に送られ、商用電圧に変圧されて各家庭や工場に供給される。
【０００３】
ＯＦケーブル(1)には絶縁油が充填されており、この絶縁油にて効果的にＯＦケーブル(1)が絶縁されている。(12)は給油装置で、変電所(12a)からＯＦケーブル(1)に絶縁油を供給するもので、ＯＦケーブル(1)内の絶縁油を加圧し、ＯＦケーブル(1)のいずれかの箇所が破損して絶縁油の漏れが発生した場合でもＯＦケーブル(1)内の絶縁油が不足しないようにしている。
【０００４】
地中送電線の内、ＯＦケーブル線路はＯＦケーブル(1)と、ＯＦケーブル(1)の接続部分を油密状態にて囲繞する密封接続容器(3)と、ＯＦケーブル(1)に絶縁油を供給する給油装置(12)から構成されている。前記の密封接続容器(3)は、絶縁油を採取する点検場所としての機能もあり、一般的にはマンホール(13)内又は洞道内に設置されている。
【０００５】
０Ｆケーブル(1)は、図２のように中心に中空螺旋管(1a)にて確保された油通路(1b)が確保されており、その周囲に導線束(1c)が巻設されている。導線束(1c)の周囲には絶縁紙その他の絶縁材料(1d)が巻設されていて、絶縁紙の外周にはアルミを材料とした防油層(1e)が形成されている。防油層内側には、中空螺旋管を通って滲出した絶縁油で満たされており、絶縁効果を保持している。最外層にビニールの防食層(1f)が施されており、アルミを材料とした防油層(1e)の防食および落雷による高電圧インパルス絶縁の役目を果たしている。
【０００６】
図３は、密封接続容器(3)の―部断面図で、ＯＦケーブル(1)の端部(2)の剥き出しにされた導線束(1c)の内側に補強スリープ(2a)を配設し、導線束(1c)の外側に導体接続管(2b)を嵌め込んで圧縮し、導線束(1c)の端部(2)同士を接続している。
【０００７】
この接続端(2)の周囲には絶縁紙(2c)が巻着され、さらにその上に遮蔽筒(2d)が装着され、接続端(2)全体が密封接続容器本体(3a)にて油密状態で収納されている。ＯＦケーブル(1)の油通路(1b)から、滲出した絶縁油は加圧状態で最外層である密封接続容器本体(3a)内に満たされている。(4)は、密封接続容器(3a)本体に設けられたコネクタで、密封接続容器(3a)本体のコネクタ装着口(3d)に溶接されている。コネクタ装着口(3d)の外周には雄ネジが螺設されており、通常は絶縁キャップ(4a)が蝶着されている。
【０００８】
ＯＦケーブル(1)の絶縁油は運転中に密封接続容器(3)から微量の水分を吸収するとか、劣化して電気絶縁特性、温度特性が次第に低下していったり、絶縁油中に可燃性ガスが発生するというような異常を発生する場合があり、これらの異常や劣化による電気事故を未然に防止する意味から絶縁油の採取分析が行われている。
【０００９】
ところで、ＯＦケーブル(1)の導体(ｌa)には高圧電流が流れており、活線状態で採油作業中にＯＦケーブル(1)に接続している鉄塔(14)に落雷などが発生した場合には、高圧の雷インパルスが発生して非常に危険である。そこで、従来は停電してから絶縁油の採油作業を行っていた。図６は停電による採油状態の概略正面図である。
【００１０】
具体的な作業手順は以下の通りである。
▲１▼作業線路のＯＦケーブル(1)を完全に停電させた後、作業者がマンホール(13)内に入り、コネクタ(4)を包んでいる絶縁キャップを作業者が素手で外す。
▲２▼密封接続容器(3)に螺着されているコネクタ(4)の周囲を包むようにビニール袋(16)を取り付ける。
▲３▼ビニール袋(16)の一部に穴を開け、その穴からモンキーレンチでコネクタ(4)を回転させ、絶縁油流出口(10)を開く。
▲４▼絶縁油流出口(10)の開口により、ＯＦケーブル(1)に加圧充填されている絶縁油が流出し、ビニール袋の中に溜まる。一部は、ビニール袋からこぼれることがあり、マンホール内の底に溜まった水の上に浮かぶと共に拡散してマンホール内を汚す。
▲５▼絶縁油の流出中にビニール袋(16)を突き破りチューブ(18)を挿入し、絶縁油流出口(10)に手早く螺着する。
▲６▼最後に、チューブ(18)に採油器(8)を装着し、チューブ(18)の途中に装着されているコック(17)を開いて絶縁油を採油器に導く。
▲７▼採油が終了した処で、コック(17)を閉じチューブ(18)を脱着した後、再度コネクタ(4)を回転させ絶縁油流出口(10)を閉じ、こぼれた絶縁油をふき取って作業を終了する。
【００１１】
ところが近年では、需要側で工場設備の自動化や事務所のコンピュータ化に伴い、昼間は勿論、深夜でも稼働していることが多く、簡単に停電させて点検作業を行うということが、次第に困難になりつつある。
【００１２】
そこで、このような要望に応えて活線状態を維持しながら（無停電で）採油を可能にするための無停電採油装置が求められている。
【００１３】
尚、特開平7-264740号にこのような要求に対応した無停電採油装置が提案され、絶縁油の無停電採油作業に実用化されている。図７は特開平7-264740号の無停電採油装置(B)による採油状態の概略正面図である。
【００１４】
しかしながら、この特開平7-264740号記載の無停電採油装置は、装着しようとする密封接続容器が他のケーブルの密封接続容器と接近したような狭い箇所では装着することができなず、そのような場合は、しかたなく従前のように一旦停電してから油の採取作業を行わねばならなかった。
【００１５】
【発明が解決しようとする課題】
そこで本発明は、密封接続容器(3)の周囲に十分なスペースが無い狭い箇所においても装着して使用可能な分割型の無停電採油装置を提供し、活線状態で採油作業が可能とすることを課題とする。
【００１６】
【課題を解決するための手段】
本発明の請求項１の分割型無停電採油装置(A)は、絶縁油が充填されているＯＦケーブル(1)の接続端(2)を油密状態に囲繞する密封接続容器(3)に螺入されているコネクタ(4)を開閉するための無停電採油装置(A)であって、密封接続容器(3)に油密可能に装着される絶縁支持部品(5)と、絶縁支持部品(5)の周囲に配され絶縁支持部品(5)に対して油密状態で回動可能な絶縁回動体(6),(7),(20),(21)を備え、絶縁回動体(6),(7),(20),(21)の回動によりコネクタ(4)の開閉が可能であり、絶縁回動体(21)は絶縁油の採油器を装着する採油器装着部(9)を有しており、採油器装着部(9)とコネクタ(4)の絶縁油流出口(10)とを繋ぐ絶縁油流出路(11)が設けられていることを特徴とする。
【００１７】
分割型無停電採油装置(A)の絶縁支持部品(5)は密封接続容器(3)に油密可能に装着され、絶縁支持部品の周囲に配され絶縁支持部品(5)に対して油密状態で回動可能な絶縁回動体(6),(7),(20),(21)を回転させることにコネクタ(4)が開状態となると絶縁油流出口(10)から絶縁油が流出し、流出した絶縁油は絶縁油流出路(11)を通って絶縁回動体(21)に設けられた採油器装着部(9)に至り、更には採油器装着部(9)に装着された採油器(8)に溜まることになる。
【００１８】
これにより、完全に金属製の給油コネクタ(4)を絶縁状態で開閉することができ、活線下で作業中に鉄塔(14)などに落雷があったとしても作業者は完全にプロテクトされることになり、作業線路を停電させることなく採油作業を実施できる。又、油密可能に装着されているので採油作業中に絶縁油が周囲に漏れてマンホール内を汚すことはない。
【００１９】
請求項２の分割型無停電採油装置(A)は、請求項１の無停電採油装置において、絶縁回動体は、絶縁支持部品(5)に対して油密状態で回動可能であり、コネクタ(4)に嵌め合わされる保持部品(6)と、保持部品(6)の外周に組み合わされ、保持部品(6)に回動力を与える半割フランジ(7)と、半割フランジ(7)に係合され、外部から加えられた回動力を半割フランジ(7)に伝える下部押さえ部品(20)と、保持部品(6)と協働して油密可能にコネクタ(4)を覆う上部押さえ部品(21)とからなり、採油器装着部(9)は上部押さえ部品(21)に設けられていることを特徴とする。
【００２０】
これは上記の請求項１の一実施態様であり、絶縁回動体の構成を限定したものである。この場合の使用方法は以下のとおりである。
【００２１】
まず、密封接続容器(3)のコネクタ装着口(3b)に、無停電採油装置(A)の絶縁支持部品(5)を取り付ける。
【００２２】
次に、コネクタ(4)の六角形状に合わせた絶縁性の保持部品(6)と、保持部品(6)を回転させる構造とした絶縁性の半割れフランジ(7)と、半割れフランジ(7)を回転させる構造とした絶縁性の下部押さえ部品(20)と、油の密閉構造と絶縁油流出路(11)のある上部押さえ部品(21)を取り付ける。
【００２３】
絶縁回動体を構成する保持部品(6)等は絶縁体であるので、たとえ落雷による高電圧インパルスが発生したとしても作業者の安全は保たれる。この状態で、採油器装着部(9)に採油器(8)を装着し、下部押さえ部品(20)を回転させると、上部押さえ部品(21)と半割れフランジ(7)と保持部品(6)が回転し、保持部品(6)に保持されたコネクタ(4)も共に回転して絶縁油流出口(10)が開き、絶縁油が流出する。
【００２４】
この流出絶縁油は絶縁油流出路(11)を通って、絶縁油流出口(10)から採油器装着部(9)に至り、更にチューブ(18)を通って採油器(8)にて採油されることになる。所定量の採油が終了すると、下部押さえ部品(20)を逆転させてコネクタ(4)を閉じ、絶縁油の流出を止めてから無停電採油装置(A)を分解して密封接続容器(3)から外す。
【００２５】
【発明の実施の形態】
以下、本発明にかかる分割型無停電採油装置（以下、単に「無停電採油装置」という）(A)の実施例を図を用いて説明する。図４は無停電採油装置(A)の内部構成を示した部分断面図であり、図５は本発明装置による採油状態の概略正面図である。
【００２６】
無停電採油装置(A)は、絶縁支持部品(5)と絶縁回動体とを備え、この絶縁回動体は保持部品(6)と半割フランジ(7)と下部押さえ部品(20)および上部押さえ部品(21)を有している。
【００２７】
絶縁支持部品(5)は、コネクタ装着口(3b)の外周に螺設された雄ネジに螺設されるように雌ネジ部(5a)を有し、又、油密可能とするためのＯリング装着部が２箇所ある。
【００２８】
保持部品(6)は、コネクタ(4)を回動させるよう内面を六角形状とし、外周に上部押さえ部品(21)と螺着するための雄ネジ部及び下部押さえ部品(20)の回動を伝えるための溝がある。又、上部押さえ部品(21)と油密可能とするためのＯリング装着部が１箇所設けられている。
【００２９】
半割れフランジ(7)は、下部押さえ部品(20)の回動を保持部品(6)に伝えるための中間フランジであり、保持部品(6)の溝に組込むように半割れ構造としている。
【００３０】
下部押さえ部品(20)は回動を与えるものであり、半割れフランジ(7)を回動させるよう円形状の内周面の一部に直線部が設けられている。上部押さえ部品(21)、保持部品(6)を油密可能にする雌ネジ部が螺設されている。
【００３１】
無停電採油装置(A)の各部品は、絶縁体より形成されており、下部押さえ部品(20)と上部押さえ部品(20)には、回動を与えやすくするための金具輪が嵌め込まれているが、活線ＯＦケーブル(1)に落雷による―５０ｋＶの雷インパルスが複数回加わったとしても十分耐えることが出来るようになっている。尚、実施例では絶縁支持部品(5)，半割フランジ(7)，下部押さえ部品(20)，上部押さえ部品(21)はＭＣナイロンより、保持部品(6)はＰＥＥＫ３０より形成されている。
【００３２】
次に、本発明にかかる無停電採油装置(A)の使用方法について説明する。
▲１▼  作業線路のＯＦケーブル(1)を活線状態の間まで作業者がマンホール内に入り、コネクタ(4)を包んでいる絶縁キャップ(4a)を作業者が手で外す。
【００３３】
▲２▼  密封接続容器(3)のコネクタ装着口(3b)の雄ネジに、絶縁支持部品(5)の雌ネジ部を螺着し、保持部品(6)を絶縁支持部品(5)に嵌め込む。次に、半割フランジ(7)を保持部品(6)の溝に合わせ挟み込む。下部押さえ部品(20)を半割フランジ(7)に嵌め込む。最後に、保持部品(6)の雄ネジに上部押さえ部品(21)の雌ネジ部を螺着し、無停電採油装置(A)をコネクタ装着口(3b)に装着する。金属製のコネクタ(4)は無停電採油装置(A)の絶縁部に包まれるので、たとえ落雷による高電圧インパルスが発生したとしても作業者の安全は保たれる。
【００３４】
▲３▼  この状態でビニルチューブ(18)を介して採油器装着部(9)に採油器(8)を装着し、下部押さえ部品(20)を引掛けスパナを用いて回転させることによりコネクタ(4)を回転させ、絶縁油流出口(10)を開口させる。絶縁油流出口(10)の開口により、ＯＦケーブル(1)に加圧充填されている絶縁油が流出し、絶縁油流出路(11)を通って採油器装着部(9)に至り、更にビニルチューブ(18)を通って採油器(8)に溜まっていく。このとき開閉コック(17)は開状態となっている。
【００３５】
▲４▼  所定量の採油が終了すると、開閉コック(17)を操作して閉状態とし、採油器(8)と採油器装着部(9)との間を遮断する。次に下部押部品(20)を逆方向に回転させ、コネクタ(4)を閉じ絶縁油の流出を止める。その後、上部押さえ部品(21)、下部押さえ部品(20)、半割フランジ(7)、保持部品(6)の順に分解し、絶縁支持部品(5)を密封接続容器(3)のコネクタ装着口(3b)から外し、絶縁キャップ(4a)を取り付けてコネクタ(4)を密封する。これにより、作業線路を停電させることなく採油作業が出来る。
【００３６】
特開平7-264740号に記載の無停電採油装置は金属部相互間の縁面距離確保のために縦長構造とされているが、本発明では金属材の使用を抑えたので横長構造とすることができた。又、特開平7-264740号に記載の無停電採油装置では装置上部にレンチを挿入して部品を回す必要があったため上方にレンチ使用のためのスペースが必要であったが、本発明の無停電採油装置(A)は絶縁支持部品(5)以外の部品全部が回動する構造であるので、上方のレンチ用のスペースが不要となる。よって、特開平7-264740号に記載の無停電採油装置が装着できないような狭い箇所においても装着して使用することができる。したがって、活線状態での採油作業がより行いやすくなった。
【００３７】
【発明の効果】
以上述べたように本発明により、密封接続容器の周囲に十分なスペースが無いような場合でも、密封接続容器に装着して使用可能な無停電採油装置を提供することができ、活線状態で採油作業することが可能となった。
【図面の簡単な説明】
【図１】ＯＦケーブルの配線概略断面図。
【図２】ＯＦケープル縦断面図。
【図３】密封接続容器の部分断面図。
【図４】本発明の分割型無停電採油装置の部分断面図。
【図５】本発明装置による採油状態の概略正面図。
【図６】停電による採油状態の概略正面図。
【図７】特開平7-264740号の無停電採油装置による採油状態の概略正面図。
【符号の説明】
(A)    分割型無停電採油装置
(1)    ＯＦケーブル
(2)    ＯＦケーブルの接続端
(3)    密閉接続容器
(4)    コネクタ
(5)    絶縁支持部品
(6)    保持部品
(7)    半割フランジ
(8)    採油器
(9)    採油器装着部
(10)   絶縁油流出口
(11)   絶縁油流出道路
(20)   下部押さえ部品
(21)   上部押さえ部品
【図１】
0003866385.tif 000002
【図２】
0003866385.tif 000003
【図３】
0003866385.tif 000004
【図４】
0003866385.tif 000005
【図５】
0003866385.tif 000006
【図６】
0003866385.tif 000007
【図７】
0003866385.tif 000008